(57)【要約】    【課題】光記録媒体のリンキングずれ部分を早急にかつ正確に検出することができるリンキングずれ検出装置及び方法を提供する。    【解決手段】光記録媒体の情報記録トラックに対して光ビームを照射し、情報記録トラックに照射された光ビームの反射光を受光して光検出信号を生成し、光検出信号中から同期信号を検出し、同期信号の存在間隔が所定の間隔範囲外にあるか否かを判定し、その判定結果に基づいてリンキングずれを検出する。【選択図】図１
2008084532.tif 000002
【特許請求の範囲】
【請求項１】
情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の前記情報記録トラックにおけるリンキングずれを検出するリンキングずれ検出装置であって、
前記情報記録トラックに対して光ビームを照射する光ビーム照射手段と、
前記情報記録トラックに照射された光ビームの反射光を受光して光検出信号を生成する光検出手段と、
前記光検出信号中から同期信号を検出する同期検出手段と、
前記同期検出手段によって検出された同期信号の存在間隔が所定の間隔範囲内にあるか否かを判定する同期間隔判定手段と、を備え、
前記同期間隔判定手段の判定結果に基づいて前記リンキングずれを検出することを特徴とするリンキングずれ検出装置。
【請求項２】
前記光検出手段は、前記トラックの接線方向に第１及び第２受光面として分割された受光面を有し、前記トラックに照射された光ビームの反射光を前記第１及び第２受光面で受光して前記第１及び第２受光面各々の受光量に応じた第１及び第２受光信号を前記光検出信号として出力し、
前記同期検出手段は、前記第１及び第２受光信号を加算したＲＦ信号中から同期信号を検出することを特徴とする請求項１記載のリンキングずれ検出装置。
【請求項３】
前記同期検出手段は、前記ＲＦ信号を２値化する２値化回路と、前記２値化回路の出力信号をＮＲＺＩ変換するＮＲＺＩ変換回路と、前記ＮＲＺＩ変換回路の出力信号中の前記同期信号のマーク長に対応した部分を検出する同期検出回路と、を備えたことを特徴とする請求項２記載のリンキングずれ検出装置。
【請求項４】
前記光検出信号に基づいてエラーレートを測定するエラーレート測定回路を備え、
前記同期間隔判定手段は、前記同期信号の存在間隔が前記所定の間隔範囲外と判定したときパルス信号を発生するパルス発生手段と、前記パルス信号の発生中には前記エラーレート測定回路に供給される前記光検出信号の振幅を減少させる振幅抑制手段とを有することを特徴とする請求項１記載のリンキングずれ検出装置。
【請求項５】
前記同期信号のマーク長が１４Ｔ（Ｔは単位マーク長）であるとき前記所定の間隔範囲は、５５μsec±１４Ｔであることを特徴とする請求項１記載のリンキングずれ検出装置。
【請求項６】
前記同期間隔判定手段によって前記所定の間隔範囲外と判定された前記同期信号の存在間隔を含む前記情報記録トラック上の位置のアドレスを検出するアドレス検出手段と、
前記光検出信号に基づいて前記プリピットを検出するプリピット検出手段と、
前記アドレスで指定される前記同期信号の前記情報記録トラック上の位置と前記プリピットの位置との関係が所定の条件を満たさないとき前記アドレスで指定される位置をリンキングずれ位置と判定するリンキングずれ判定手段と、を備えたことを特徴とする請求項１記載のリンキングずれ検出装置。
【請求項７】
前記アドレス検出手段は、前記マークが形成された前記情報記録トラック全てに亘って前記同期間隔判定手段によって前記所定の間隔範囲外と判定された前記同期信号の存在間隔を含む前記情報記録トラック上の位置のアドレスを記憶する記憶手段を有することを特徴とする請求項６記載のリンキングずれ検出装置。
【請求項８】
前記所定の条件は、前記同期信号の検出マークの時間幅のほぼ半分の時間的位置に前記プリピットが位置し、かつ前記同期信号の存在間隔が所定の時間的範囲内であることであることを特徴とする請求項６記載のリンキングずれ検出装置。
【請求項９】
前記同期信号のマーク長が１４Ｔ（Ｔは単位マーク長）であるとき前記所定の条件は、前記同期信号の検出マークの時間幅の半分の時間的位置に対して前記プリピット検出手段によって検出された前記プリピットの検出中心が±２５９．２５ｎsec内に位置し、かつ前記同期信号の存在間隔が５５μsec±０．５１８μsec以内であることであることを特徴とする請求項６記載のリンキングずれ検出装置。
【請求項１０】
前記リンキングずれ判定手段は前記記憶手段に記憶されたアドレス各々について順次前記前記所定の条件を満たすか否かを判定し、前記所定の条件を満たさないと判定したとき前記光ディスクを規格外とすることを特徴とする請求項６又は７記載のリンキングずれ検出装置。
【請求項１１】
前記プリピット検出手段は、前記光検出手段から出力された前記第１及び第２受光信号の差を算出してプッシュプル信号を生成する減算手段と、前記プッシュプル信号の高域成分を通過させて前記プリピットを検出するハイパスフィルタとを有することを特徴とする請求項６記載のリンキングずれ検出装置。
【請求項１２】
情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の前記情報記録トラックにおけるリンキングずれを検出するリンキングずれ検出方法であって、
前記情報記録トラックに対して光ビームを照射し、
前記情報記録トラックに照射された光ビームの反射光を受光して光検出信号を生成し、
前記光検出信号中から同期信号を検出し、
前記同期信号の存在間隔が所定の間隔範囲外にあることを判定し、
その判定結果に基づいて前記リンキングずれを検出することを特徴とするリンキングずれ検出方法。
【請求項１３】
前記所定の間隔範囲外と判定された前記同期信号の存在間隔を含む前記情報記録トラック上の位置のアドレスを検出し、
前記光検出信号に基づいて前記プリピットを検出し、
前記アドレスで指定される前記同期信号の前記情報記録トラック上の位置と前記プリピットの位置との関係が所定の条件を満たさないとき前記アドレスで指定される位置をリンキングずれ位置と判定することを特徴とする請求項１２記載のリンキングずれ検出方法。
【発明の詳細な説明】
【技術分野】
【０００１】
本発明は、光記録媒体のリンキングずれ検出装置及び方法等に関する。
【背景技術】
【０００２】
現在、情報信号の書込が可能な光学式の記録媒体として、ＣＤ−Ｒ、ＣＤ−ＲＷ、ＤＶＤ−Ｒ、ＤＶＤ−ＲＷ、ＤＶＤ−ＲＡＭ等の光ディスクが知られている。更に、このような光ディスクに対して情報データの記録及び再生を行う情報記録再生装置が製品化されてきた。
【０００３】
一般に、光ディスクの性能は情報データが記録された状態におけるエラーレートを測定することによって調べることができる。測定の結果、エラーレートが高いディスクは情報データの記録された状態が悪いと判断される。
【０００４】
ところが、書込が可能な光ディスクにおいては既に書き込みが行われた位置に続いて新たな情報データを書き込みする場合にはリンキングずれが生じる場合がある。リンキングずれとは、以前の情報データの書き込み部分と新しい情報データを書き込み部分との間のギャップである。
【０００５】
上記のエラーレート測定においては、光ディスクにリンキングずれがあったとしても読取信号を同期再生するＰＬＬ回路が働いてそのリンキングずれ部分では同期がとれなくても次の同期信号に直ちに対応して正常な再生状態に戻すことにより、エラーレートが一時的に悪化するだけで済む。例えば、光ディスクとしてＤＶＤ−ＲＷの場合の規格には、１４Ｔ（Ｔは単位マーク長）の同期信号の期間内にＬＰＰ（ランドプリピット）が存在することが定められている。ＬＰＰは、ディスクレコーダが情報データを記録する際にその記録タイミング及びアドレスを知るためにランドトラック上に予め設けられているものである。リンキングずれを生じると、１４Ｔの同期信号とＬＰＰとの位相関係がずれてしまうが、ＰＬＬ回路が働いてその位相関係を次に読み取られる同期信号の１４Ｔで取り戻すように作用する。従って、リンキングずれがあってもエラーレート測定では一瞬の悪化に過ぎず、ゴミや傷によって起きるエラーレートの悪化と同様の程度であるので、エラーレートの悪化がリンキングずれによるものであるかどうかの特定は難しい。
【発明の開示】
【発明が解決しようとする課題】
【０００６】
しかしながら、リンキングずれの量が大きいと光ディスクの規格を満足することができず、再生精度の悪い光ディスクプレーヤでは正常な再生が不可能となる。例えば、映像再生では画面がフリーズしたり、モザイク状態となる。また、プレーヤによっては同じ箇所を繰り返し再生したりする。よって、エラーレート測定とは別に光ディスクのリンキングずれ部分を正確に検出することが望まれている。
【０００７】
本発明が解決しようとする課題には、上記の問題点が一例として挙げられ、光記録媒体のリンキングずれを早急にかつ正確に検出することができるリンキングずれ検出装置及び方法を提供することが本発明の目的である。
【課題を解決するための手段】
【０００８】
本願の請求項１に係る発明のリンキングずれ検出装置は、情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の前記情報記録トラックにおけるリンキングずれを検出するリンキングずれ検出装置であって、前記情報記録トラックに対して光ビームを照射する光ビーム照射手段と、前記情報記録トラックに照射された光ビームの反射光を受光して光検出信号を生成する光検出手段と、前記光検出信号中から同期信号を検出する同期検出手段と、前記同期検出手段によって検出された同期信号の存在間隔が所定の間隔範囲内にあるか否かを判定する同期間隔判定手段と、を備え、前記同期間隔判定手段の判定結果に基づいて前記リンキングずれを検出することを特徴としている。
【０００９】
本願の請求項１２に係る発明のリンキングずれ検出方法は、情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の前記情報記録トラックにおけるリンキングずれを検出するリンキングずれ検出方法であって、前記情報記録トラックに対して光ビームを照射し、前記情報記録トラックに照射された光ビームの反射光を受光して光検出信号を生成し、前記光検出信号中から同期信号を検出し、前記同期信号の存在間隔が所定の間隔範囲外にあることを判定し、その判定結果に基づいて前記リンキングずれを検出することを特徴としている。
【実施例】
【００１０】
以下、本発明の実施例を図面を参照しつつ詳細に説明する。
【００１１】
図１は本発明の同期ずれ検出装置を適用した波形測定装置を示している。この波形測定装置において、測定対象の光ディスク１は例えば、図２に示すような記録面を有する。すなわち、ディスク基板１０１上には、螺旋状もしくは同心円状に、情報データを担う情報ピット（マーク）Ｐtが形成されるべき凸状のグルーブトラック１０３、及び凹状のランドトラック１０２が交互に形成されている。更に、互いに隣接するグルーブトラック１０３間には、複数のＬＰＰ(ランドプリピット)１０４が形成されている。ＬＰＰ１０４は、ディスクレコーダが情報データを記録する際にその記録タイミング及びアドレスを知る為にランドトラック１０２上に予め設けられているものである。
【００１２】
波形測定装置において、記録再生ヘッド２には、光ディスク１から記録情報の読み取りを行う読取ビーム光発生装置(図示せず）及び４分割光検出器（図３の符号２０）が搭載されている。
【００１３】
読取ビーム光発生装置は、スピンドルモータ９によって回転駆動される光ディスク１に読取ビーム光を照射し、その記録面上に情報読取スポットを形成させる。４分割光検出器２０は、図３に示すように、光ディスク１の情報記録トラック（グルーブトラック１０３）の接線に沿った方向と、記録トラックの接線に直交する方向とによって４分割された受光面２０ａ〜２０ｄを有する光電変換素子からなる。その光電変換素子は、情報読取スポットによる光ディスク１からの反射光を４つの受光面２０ａ〜２０ｄ各々によって受光し、夫々を個別に電気信号に変換したものを受光信号Ｒａ〜Ｒｄとして出力する。
【００１４】
サーボ制御装置４は、これら受光信号Ｒａ〜Ｒｄに基づいてフォーカスエラー信号及びスライダ駆動信号を各々生成する。更に、サーボ制御装置４は、後述するプリピット検出回路５からの出力信号に基づいてトラッキングエラー信号を生成する。フォーカスエラー信号は、記録再生ヘッド２に搭載されているフォーカシングアクチュエータ（図示せず）に供給される。フォーカシングアクチュエータは、フォーカスエラー信号に基づいて情報読取スポットの焦点を調整する。トラッキングエラー信号は、記録再生ヘッド２に搭載されているトラッキングアクチュエータ（図示せず）に供給される。トラッキングアクチュエータは、トラッキングエラー信号に基づいて情報読取スポットの形成位置をディスク半径方向にて調整する。スライダ駆動信号はスライダ１０に供給される。スライダ１０はスライダ駆動信号に応じた速度で記録再生ヘッド２をディスク半径方向に移送させる。
【００１５】
また、上記受光信号Ｒａ〜Ｒｄは加算器２１〜２３及び減算器２４を有するヘッドアンプ２５に供給される。加算器２１は受光信号Ｒａ，Ｒｄを加算し、加算器２２は受光信号Ｒｂ，Ｒｃを加算する。すなわち、加算器２１は４分割光検出器２０の受光面２０ａ及び２０ｄによって各々受光されて得られた受光信号Ｒａ及びＲｄ同士を加算して加算受光信号Ｒa+dを出力する。また、加算器２２は４分割光検出器２０の受光面２０ｂ及び２０ｃ各々によって受光されて得られた受光信号Ｒｂ及びＲｃ同士を加算して加算受光信号Ｒb+cを出力する。
【００１６】
加算器２３は加算器２１，２２の各出力信号Ｒa+d，Ｒb+cを加算する。加算器２３の出力信号は読取信号、すなわちＲＦ信号であり、イコライザ３０、アドレス検出回路５０、同期ずれ検出回路６０、リミッタ回路７０及び切替スイッチ８０に供給される。
【００１７】
イコライザ３０は、その読取信号の高域成分レベルを増加させて再生特性を良好なものにするために設けられている。
【００１８】
減算器２４は加算器２１の出力信号Ｒa+dから加算器２２の出力信号Ｒb+cを減算する。減算器２４の出力信号は上記のグルーブトラック１０３のウォブリングによる周波数を示す信号となり、スピンドルモータ９のスピンドルサーボ装置２６に供給される。スピンドルサーボ装置２６は減算器２４の出力信号から得られる周波数が予め定められた回転速度に対応した周波数になるようにスピンドルモータ９を回転駆動する。
【００１９】
プリピット検出回路５は、加算器２１，２２の各出力信号に基づいて、図２に示した如き、光ディスク１のランドトラック(プリピットトラック)１０２上に形成されているランドプリピット(ＬＰＰ)１０４を検出してプリピット信号ＰＰDをアドレス検出回路５１及びオシロスコープ８６に供給する。
【００２０】
プリピット検出回路５は、図３に示すように、加算器２１の出力信号Ｒa+dを増増幅する増幅器３１と、加算器２２の出力信号Ｒb+cを増幅する増幅器３２と、増幅器３１の出力信号から増幅器３２の出力信号を減算して出力する減算器３３と、減算器３３の出力信号の高域成分を通過させるハイパスフィルタ（ＨＰＦ）３４と、減算器３３の出力信号の低域成分を通過させるローパスフィルタ（ＬＰＦ）３５とからなる。増幅器３１の利得Ｇ１と増幅器３２の利得Ｇ２とは、Ｇ１＝Ｇ２に設定される。
【００２１】
減算器３３の出力信号はプッシュプル信号ＰＰと呼ばれ、プリピット信号ＰＰDはそのプッシュプル信号ＰＰから突出した成分となる。よって、そのプッシュプル信号ＰＰの高域成分をＨＰＦ３４によって通過させることによりプリピット信号ＰＰDが得られる。
【００２２】
なお、ＨＰＦ３４の出力を所定の閾値と比較して２値化したプリピット信号を生成する２値化回路を設けても良い。
【００２３】
アドレス検出回路５０及びアドレス検出回路５１各々は読取ビームの照射位置におけるアドレスを検出する回路である。アドレス検出回路５０はＲＦ信号に応じて読取ビームの照射位置におけるアドレスを検出し、アドレス検出回路５１はプリビット信号ＰＰDに応じて読取ビームの照射位置におけるアドレスを検出する。
【００２４】
同期ずれ検出回路６０は２値化回路６１、ＮＲＺＩ（Non Return to Zero Inverted）変換回路６２、同期検出回路６３、同期間隔検出回路６４及び同期ずれ判定回路６５から構成されている。２値化回路６１はＲＦ信号を所定の閾値ＴＨ１にて２値化してパルス信号としてＮＲＺＩ変換回路６２に供給する。そのパルス信号はディスク１に記録されたマークの長さに応じたパルス幅を有している。ＮＲＺＩ変換回路６２は供給されたパルス信号をＮＲＺＩ変換して同期検出回路６３に供給する。同期検出回路６３はＮＲＺＩ変換された信号から１４Ｔに相当するパルス部分（論理‘１’に対応した部分）を同期信号として検出する。同期間隔検出回路６４は同期検出回路６３によって検出された同期信号の間隔を検出して同期信号の間隔を示す同期間隔信号を同期ずれ判定回路６５に供給する。同期ずれ判定回路６５は同期信号の間隔が５５μsec±１４Ｔの範囲にあるか否かを判定し、同期信号の間隔が５５μsec±１４Ｔの範囲外である場合には同期ずれ検出パルス信号を発生する。同期ずれ検出パルス信号は切替スイッチ８０の制御信号として発生される。なお、５５μsecはディスク１の×１（１倍速）再生時の１４Ｔの同期信号の存在間隔値である。ｎ倍速の場合には上記の数値をｎで割ることは当然である。また、５５μsec±１４Ｔは５５μsec±０．５１８μsecに相当する。
【００２５】
切替スイッチ８０は２入力であり、一方の入力には加算器２３からＲＦ信号が供給される。他方の入力にはリミッタ回路７０の出力信号が供給される。リミッタ回路７０は加算器２３からのＲＦ信号の振幅を減少させてその切替スイッチ８０の他方の入力に対して出力する。リミッタ回路７０によるＲＦ信号の振幅の減少はＲＦ信号の内容を読み取ることができず、フォーマットエラーとなる程度までの減少である。切替スイッチ８０の可動子は通常、一方の入力を選択した状態であるが、同期ずれ判定回路６５から同期ずれ検出パルス信号が供給されると、その同期ずれ検出パルス信号の発生期間だけ他の入力の選択に切り替わる。切替スイッチ８０の可動子は出力となっており、そこにエラーレート測定回路８５が接続されている。エラーレート測定回路８５は供給されるＲＦ信号についてＥＣＣブロック単位で訂正したバイト数と訂正不可能ライン数とに応じてエラーレートを算出する。エラーレートの算出については公知であるので、ここでの詳細な説明は省略する。
【００２６】
上記のイコライザ３０からのＲＦ信号、プリピット検出回路５からのプリピット信号ＰＰD、同期検出回路６３からの同期信号、同期ずれ判定回路６５からの同期ずれ検出パルス信号はオシロスコープ８６に供給される。オシロスコープ８６はディジタルオシロスコープであり、例えば、４チャンネルの入力を有しているので、それらの供給信号波形が同時に観測されるようになっている。
【００２７】
オシロスコープ８６にはマイクロコンピュータ（以下、マイコンと称す）９０が接続されている。マイコン９０の具体的な構成は示さないが、少なくともＣＰＵ及び内部メモリを含んでいる。
【００２８】
マイコン９０とオシロスコープ８６との間の接続は例えば、ＧＰＩＢ、１０ＢＡＳＥ−Ｔ、或いはＲＳ−２３２Ｃ等のインターフェース規格に基づいている。
【００２９】
マイコン９０にはアドレス検出回路５０，５１各々の検出出力信号が供給されるように構成されている。
【００３０】
かかる構成の波形測定装置において、マイコン９０は、図４に示すように、リンキングずれ判定処理を行う。リンキングずれ判定処理においてマイコン９０は、先ず、光ディスク１に対する再生動作を開始させる（ステップＳ１）。再生動作ではスピンドルサーボ、トラッキングサーボ及びフォーカスサーボ等のサーボ系を全てクローズ状態にさせて記録再生ヘッド２による光ディスク１のリードインエリアからの読み取りが可能にされる。この再生動作の状態で１４Ｔの同期信号の間隔の検出が同期検出回路６３及び同期間隔検出回路６４によって行われる（ステップＳ２）。同期検出回路６３にはＲＦ信号を２値化回路６１によって２値化した後、更に、ＮＲＺＩ変換した信号が供給される。同期検出回路６３が１４Ｔの同期信号を検出する毎に同期間隔検出回路６４が前回の同期信号から今回の同期信号までの間隔を検出する。
【００３１】
同期ずれ判定回路６５は同期信号の間隔が５５μsec±１４Ｔの範囲にあるか否かを判定する（ステップＳ３）。同期ずれ判定回路６５による判定が５５μsec±１４Ｔの範囲内の同期信号間隔であるならば、同期信号間隔は正常であるのでそのまま継続して次のトラックにおける再生動作が行われる（ステップＳ４）。この同期信号間隔が正常な状態では、加算器２３からのＲＦ信号が切替スイッチ８０を介してそのままエラーレート測定回路８５に供給され、読み取りエラーレートが測定される。
【００３２】
同期ずれ判定回路６５による判定が５５μsec±１４Ｔの範囲外の同期信号間隔であるならば、同期ずれ判定回路６５が同期ずれ検出パルス信号を発生し、同期ずれ検出パルス信号に応答して切替スイッチ８０はリミッタ回路７０の出力信号をエラーレート測定回路８５に供給する（ステップＳ５）。
【００３３】
オシロスコープ８６に表示される、ＲＦ信号、プリピット信号ＰＰD、同期検出回路６３からの同期信号と同期ずれ判定回路６５からの同期ずれ検出パルス信号との関係を図５に示す。
【００３４】
ここで、矢印で示した同期信号から１つ右の同期信号までの間隔が５６．５μsecである。これは５５μsec±１４Ｔ（５５μsec±０．５１８μsec）の範囲外であるため、同期ずれ検出パルス信号が発生されている。
【００３５】
同期ずれ検出パルス信号の発生中にはエラーレート測定回路８５ではリミッタ回路７０から振幅が減少されたＲＦ信号が切替スイッチ８０を介して供給されるので、測定するエラーレートが確実に悪化することになる。
【００３６】
マイコン９０には同期ずれ判定回路６５からの同期ずれ検出パルス信号が供給されるので、その同期ずれ検出パルス信号に応じてマイコン９０は、アドレス検出回路５０又はアドレス検出回路５１によって検出されたアドレスを読み取って内部メモリにそのアドレスを記憶させる（ステップＳ６）。すなわち、内部メモリには同期信号間隔が５５μsec±１４Ｔの範囲外であるリンキングずれ部分、すなわちエラーレートを悪化させる部分のアドレスが書き込まれるのである。
【００３７】
マイコン９０はステップＳ６の実行後、ＲＦ信号が出力され続けているか否かを判別する（ステップＳ７）。これは、例えば、オシロスコープ８６におけるＲＦ信号波形の存在から確認できる。ＲＦ信号が出力され続けているならば、次のトラックにおける再生動作が行われ（ステップＳ４）、上記の動作が繰り返される。一方、ＲＦ信号が出力されていないならば、光ディスク１に情報データが記録された領域の再生が終了したことになる。この時点においては、マイコン９０の内部メモリには光ディスク１における同期信号間隔が５５μsec±１４Ｔの範囲外であるリンキングずれ部分の全てのアドレスが書き込まれたことになる。
【００３８】
マイコン９０は、ステップＳ７でＲＦ信号がないと判別した場合には、内部メモリにアドレスが書き込まれた内部メモリから１つのアドレスを読み出してそのアドレスについてディスク１の再生動作を指令する（ステップＳ８）。記録再生ヘッド２による光ディスク１の指令アドレス位置からの読み取りが行われる。この再生動作の状態で１４Ｔの同期信号の期間とＬＰＰとの位相関係が所定の条件を満足するか否かを判別する（ステップＳ９）。所定の条件とは、(1)ＬＰＰ波形のピーク位置と１４Ｔの同期信号の期間の半分位置と時間的な差が±２５９．２５ｎsec以内であること、(2)同期信号の間隔が５５μsec±０．５１８μsec以内であることである。この所定の条件(1)及び(2)を満足するならば、内部メモリから全てのアドレスを読み出したか否かを判別する（ステップＳ１０）。全てのアドレスを読み出していないならば、ステップＳ８に戻って次の１つのアドレスを読み出してそのアドレスについてディスク１の再生動作を指令する。
【００３９】
例えば、図６に示すにように、ＲＦ信号中の同期信号の１４Ｔ成分とプリピット信号ＰＰD（ＬＰＰ成分）との位相関係が所定の条件を満足しない場合、すなわち、上記の(1)及び(2)の両方を満足していない場合には光ディスク１は規格外と判定して光ディスク１についてのリンキングずれ判定処理を終了する（ステップＳ１１）。
【００４０】
ステップＳ１０において全てのアドレスを読み出したならば、光ディスク１に存在するリンキングずれは再生上問題ないので、光ディスク１は規格内であるとしてリンキングずれ判定処理を終了する（ステップＳ１２）。
【００４１】
このように同期ずれ判定処理を行うことにより、リンキングずれ位置を検出し、そのリンキングずれが光ディスクの規格内であるか否かを判定することができる。
【００４２】
なお、上記した実施例において１４Ｔの同期信号の間隔のずれが５５μsec±１４Ｔ（５５μsec±０．５１８μsec）であり、ＬＰＰ成分の位置が１４Ｔの同期信号の期間の半分位置と時間的な差が±２５９．２５ｎsec以内であることは、ＤＶＤ−Ｒ／ＲＷブック（規格書）に基づくものである。ＤＶＤ−Ｒ／ＲＷブックには、図７に示すように１４Ｔの同期信号マークとＬＰＰとの位置関係が示されている。また、同期信号の間隔のずれ量は、実際に光ディスクプレーヤが不具合を起こす量から５５μsec±２０Ｔ程度まで許容することもできる。
【００４３】
すなわち、上記した実施例に示した波形測定装置においては、１４Ｔの同期信号の間隔（５５μsec）に対して許容範囲が−５０Ｔ〜−２０Ｔ及び＋２０Ｔ〜＋５０Ｔの場合に、同期ずれ検出回路６０が同期ずれ検出パルス信号を発生する構成にすることができる。この許容範囲より大きい場合には、欠陥（ディフェクト）等の他の要因によりトラック飛び等の不具合を生じたことが想定され、同期ずれ検出回路６０は同期ずれパルス信号を発生しない。
【００４４】
図８は上記したリンキングずれ判定処理の他の例を示している。図８のリンキングずれ判定処理においては、マイコン９０は、先ず、光ディスク１に対する再生動作を開始させる（ステップＳ２１）。この再生動作の状態で１４Ｔの同期信号の間隔の検出が同期検出回路６３及び同期間隔検出回路６４によって行われる（ステップＳ２２）。同期信号の間隔が検出されると、同期ずれ判定回路６５は同期信号の間隔が５５μsec±１４Ｔの範囲にあるか否かを判定する（ステップＳ２３）。同期ずれ判定回路６５による判定が５５μsec±１４Ｔの範囲内の同期信号間隔であるならば、同期信号間隔は正常であるのでＲＦ信号が出力され続けているか否かを判別する（ステップＳ２４）。ＲＦ信号が出力され続けているならば、次のトラックにおける再生動作が行われ（ステップＳ２５）、上記の動作が繰り返される。
【００４５】
ステップＳ２３において同期ずれ判定回路６５による判定が５５μsec±１４Ｔの範囲外の同期信号間隔であるならば、マイコン９０には同期ずれ判定回路６５からの同期ずれ検出パルス信号が供給されるので、その同期ずれ検出パルス信号に応じてマイコン９０は、アドレス検出回路５０又はアドレス検出回路５１によって検出されたアドレスを読み取って内部メモリにそのアドレスを記憶させる（ステップＳ２６）。その後、ステップＳ２４に移行してＲＦ信号の有りを確認し、次のトラックにおける再生動作が行われ、上記の動作が繰り返される。
【００４６】
ステップＳ２４においてＲＦ信号が出力されていないならば、光ディスク１に情報データが記録された領域の再生が終了したことになる。この場合には、ステップＳ２６の実行によって内部メモリにアドレスが記憶されたか否かを判別する（ステップＳ２７）。内部メモリにアドレスが記憶されていない場合には光ディスク１は規格内であるとしてリンキングずれ判定処理を終了する（ステップＳ２８）。一方、内部メモリにアドレスが記憶されている場合にはそのアドレスを全て読み出してその読み出したアドレスを図示しない表示装置に表示させ（ステップＳ２９）、光ディスク１は規格外と判定して光ディスク１についてのリンキングずれ判定処理を終了する（ステップＳ３０）。その表示装置には光ディスク１の同期ずれを起こすアドレスが例えば、リストとして表示される。
【００４７】
なお、上記した図８のリンキングずれ判定処理のステップＳ２１〜Ｓ２３は図４のリンキングずれ判定処理のステップＳ１〜Ｓ３と同一であり、同様に、ステップＳ２６，Ｓ２４及びＳ２５はステップＳ６，Ｓ７及びＳ４と同一である。
【００４８】
図９は本発明の他の実施例として波形測定装置を示しており、図１に示した波形測定装置と同一部分は同一符号を用いている。この図９の波形測定装置においては、同期検出回路６３にアドレス検出回路５２が接続されている。アドレス検出回路５２は同期検出回路６３による同期検出時にアドレスを検出し、その検出したアドレスをマイコン９０に供給する。その他の構成はアドレス検出回路５０及び５１を除いて図１の波形測定装置と同様である。図９の波形測定装置においても上記した同期ずれ判定処理が実行される。
【００４９】
上記した各実施例においては、リミッタ回路７０はＲＦ信号の振幅を減少させ、同期ずれ検出パルス信号の発生中にはリミッタ回路７０の出力信号が切替スイッチ８０を介してエラーレート測定回路８５に供給されるが、同期ずれ検出パルス信号の発生中にはエラーレート測定回路８５にＲＦ信号が供給されないようにしても良い。
【００５０】
上記した各実施例においては、本発明を光ディスクの波形測定装置に適用した場合について説明したが、これに限定されない。例えば、ＤＶＤ−ＲＷレコーダ内に本発明のリンキングずれ位置検出装置が備えられたならば、リンキングずれ部分で記録し直したり、画面フリーズやモザイク発生を防止することが可能となる。また、リンキングずれ部分が頻繁に発生するディスクを再生する場合には、ユーザに対して再生映像の乱れを起こす理由を告知することができる。
【００５１】
また、上記した各実施例においては、オシロスコープ８６が設けられているが、オシロスコープ８６を設けることなく波形観測用の各信号がマイコン９０に供給されるようにしても良い。
【００５２】
以上の如く、同期検出手段によって検出された同期信号の存在間隔が所定の間隔範囲外にあることを判定する同期間隔判定手段と、を備えたので、光ディスクのリンキングずれを早急にかつ正確に検出することができる。
【図面の簡単な説明】
【００５３】
【図１】本発明を適用した波形測定装置の構成を示すブロック図である。
【図２】ＤＶＤ−ＲＷの記録面の構造を示す図である。
【図３】図１の装置中のヘッドアンプ及びプリピット検出回路の構成を示すブロック図である。
【図４】リンキングずれ判定処理を示すフローチャートである。
【図５】同期信号、同期ずれの発生時点、同期ずれ検出パルス信号、ＲＦ信号及びプリピット信号を示している。
【図６】ＲＦ信号中の同期信号の１４Ｔ成分とプッシュプル信号のＬＰＰ成分との位相関係を示す図である。
【図７】同期信号マークとＬＰＰ成分との関係を示す図である。
【図８】リンキングずれ判定処理を示すフローチャートである。
【図９】本発明の他の実施例として波形測定装置の構成を示すブロック図である。
【主要部分の符号の説明】
【００５４】
１  光ディスク
２  記録再生ヘッド
５  プリピット検出回路
１０  スライダ
２０  ４分割光検出器
６０  同期ずれ検出回路
８６  オシロスコープ
９０  マイコン
【図１】
2008084532.tif 000003
【図２】
2008084532.tif 000004
【図３】
2008084532.tif 000005
【図４】
2008084532.tif 000006
【図５】
2008084532.tif 000007
【図６】
2008084532.tif 000008
【図７】
2008084532.tif 000009
【図８】
2008084532.tif 000010
【図９】
2008084532.tif 000011
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の波形測定装置であって、
前記情報記録トラックに対して光ビームを照射する光ビーム照射手段と、
前記情報記録トラックに照射された光ビームの反射光を受光して光検出信号を生成する光検出手段と、
前記光検出信号中から同期信号を検出する同期検出手段と、
前記同期検出手段によって検出された同期信号の存在間隔が所定の間隔範囲内にあるという第１条件を満足するか否かを判定する同期間隔判定手段と、
前記光検出信号に基づいて前記情報記録トラック上の前記プリピットを含む光ビームの照射位置でピークとなるプリピット信号を発生するプリピット信号発生手段と、
前記検出された同期信号の期間の半分位置と前記プリピット信号のピーク位置との時間的な差が所定の時間範囲内であるという第２条件を満足するか否かを判定する位相判定手段と、
前記光記録媒体に対する再生動作中において前記同期検出手段によって検出された同期信号に対して前記第１条件及び前記第２条件の両方が満足されないとき前記光記録媒体を規格外と判定する媒体判定手段と、を備えたことを特徴とする波形測定装置。
【請求項２】
前記同期間隔判定手段によって前記第１条件を満足していないと判定された前記同期信号の存在間隔を含む前記情報記録トラック上の位置のアドレスを検出してそのアドレスをメモリに記憶させるアドレス検出手段と、
前記メモリに記憶されたアドレスで指定される前記同期信号の前記情報記録トラック上の位置について再生動作を指令する指令手段と、を備え、
前記指令手段による再生動作中において前記媒体判定手段は前記同期間隔判定手段及び前記位相判定手段各々の判定結果に応じて前記光記録媒体が規格外か否かを判定することを特徴とする請求項１記載の波形測定装置。
【請求項３】
前記光検出手段は、前記トラックの接線方向に第１及び第２受光面として分割された受光面を有し、前記トラックに照射された光ビームの反射光を前記第１及び第２受光面で受光して前記第１及び第２受光面各々の受光量に応じた第１及び第２受光信号を前記光検出信号として出力し、
前記同期検出手段は、前記第１及び第２受光信号を加算したＲＦ信号中から同期信号を検出することを特徴とする請求項１記載の波形測定装置。
【請求項４】
前記同期検出手段は、前記ＲＦ信号を２値化する２値化回路と、前記２値化回路の出力信号をＮＲＺＩ変換するＮＲＺＩ変換回路と、前記ＮＲＺＩ変換回路の出力信号中の前記同期信号のマーク長に対応した部分を検出する同期検出回路と、を備えたことを特徴とする請求項３記載の波形測定装置。
【請求項５】
前記光検出信号に基づいてエラーレートを測定するエラーレート測定回路を備え、
前記同期間隔判定手段は、前記同期信号の存在間隔が前記所定の間隔範囲外と判定したときパルス信号を発生するパルス発生手段と、前記パルス信号の発生中には前記エラーレート測定回路に供給される前記光検出信号の振幅をフォーマットエラーになる程度まで減少させる振幅抑制手段とを有することを特徴とする請求項２記載の波形測定装置。
【請求項６】
前記アドレス検出手段は、前記マークが形成された前記情報記録トラック全てに亘って前記同期間隔判定手段によって前記所定の間隔範囲外と判定された前記同期信号の存在間隔を含む前記情報記録トラック上の位置のアドレスを前記メモリに記憶させ、
前記媒体判定手段は、前記メモリに記憶された全てのアドレスで指定される前記同期信号の前記情報記録トラック上の位置各々について再生動作中に前記第１条件及び前記第２条件の両方を満足するとき前記光記録媒体を規格内と判定することを特徴とする請求項２記載の波形測定装置。
【請求項７】
前記同期信号のマーク長が１４Ｔ（Ｔは単位マーク長）であるとき前記所定の間隔範囲は５５μsec±０．５１８μsecのであり、前記所定の時間範囲は±２５９．２５ｎsecであることを特徴とする請求項１記載の波形測定装置。
【請求項８】
前記プリピット検出手段は、前記光検出手段から出力された前記第１及び第２受光信号の差を算出してプッシュプル信号を生成する減算手段と、前記プッシュプル信号の高域成分を通過させて前記プリピットを検出するハイパスフィルタとを有することを特徴とする請求項１記載の波形測定装置。
【請求項９】
情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の波形測定方法であって、
前記情報記録トラックに対して光ビームを照射し、
前記情報記録トラックに照射された光ビームの反射光を受光して光検出信号を生成し、
前記光検出信号中から同期信号を検出し、
その検出同期信号の存在間隔が所定の間隔範囲内にあるという第１条件を満足するか否かを判定し、
前記光検出信号に基づいて前記情報記録トラック上の前記プリピットを含む光ビームの照射位置でピークとなるプリピット信号を発生し、
前記検出同期信号の期間の半分位置と前記プリピット信号のピーク位置との時間的な差が所定の時間範囲内であるという第２条件を満足するか否かを判定し、
前記光記録媒体に対する再生動作中において前記同期検出手段によって検出された同期信号に対して前記第１条件及び前記第２条件の両方が満足されないとき前記光記録媒体を規格外と判定することを特徴とする波形測定方法。
【手続補正３】
【補正対象書類名】明細書
【補正対象項目名】０００１
【補正方法】変更
【補正の内容】
【０００１】
本発明は、光記録媒体の波形測定装置及び方法に関する。
【手続補正４】
【補正対象書類名】明細書
【補正対象項目名】０００６
【補正方法】変更
【補正の内容】
【０００６】
しかしながら、リンキングずれの量が大きいと光ディスクの規格を満足することができず、再生精度の悪い光ディスクプレーヤでは正常な再生が不可能となる。例えば、映像再生では画面がフリーズしたり、モザイク状態となる。また、プレーヤによっては同じ箇所を繰り返し再生したりする。
【手続補正５】
【補正対象書類名】明細書
【補正対象項目名】０００７
【補正方法】変更
【補正の内容】
【０００７】
本発明が解決しようとする課題には、上記の問題点が一例として挙げられ、情報が記録された光記録媒体が定められている規格を、リンキングずれ等により満足することができず、再生精度の悪いプレーヤ等の再生装置では正常な再生が不可能となるという問題を解決することができる波形測定装置及び方法を提供することが本発明の目的である。
【手続補正６】
【補正対象書類名】明細書
【補正対象項目名】０００８
【補正方法】変更
【補正の内容】
【０００８】
本願の請求項１に係る発明の波形測定装置は、情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の波形測定装置であって、前記情報記録トラックに対して光ビームを照射する光ビーム照射手段と、前記情報記録トラックに照射された光ビームの反射光を受光して光検出信号を生成する光検出手段と、前記光検出信号中から同期信号を検出する同期検出手段と、前記同期検出手段によって検出された同期信号の存在間隔が所定の間隔範囲内にあるという第１条件を満足するか否かを判定する同期間隔判定手段と、前記光検出信号に基づいて前記情報記録トラック上の前記プリピットを含む光ビームの照射位置でピークとなるプリピット信号を発生するプリピット信号発生手段と、前記検出された同期信号の期間の半分位置と前記プリピット信号のピーク位置との時間的な差が所定の時間範囲内であるという第２条件を満足するか否かを判定する位相判定手段と、前記光記録媒体に対する再生動作中において前記同期検出手段によって検出された同期信号に対して前記第１条件及び前記第２条件の両方が満足されないとき前記光記録媒体を規格外と判定する媒体判定手段と、を備えたことを特徴としている。
【手続補正７】
【補正対象書類名】明細書
【補正対象項目名】０００９
【補正方法】変更
【補正の内容】
【０００９】
本願の請求項９に係る発明の波形測定方法は、情報データを担うマーク及び同期信号を示すマークが形成された情報記録トラックと、前記情報記録トラック間において前記情報記録トラックに関連する情報を担って繰り返し形成されたプリピットとを記録面に有する光記録媒体の波形測定方法であって、前記情報記録トラックに対して光ビームを照射し、前記情報記録トラックに照射された光ビームの反射光を受光して光検出信号を生成し、前記光検出信号中から同期信号を検出し、その検出同期信号の存在間隔が所定の間隔範囲内にあるという第１条件を満足するか否かを判定し、前記光検出信号に基づいて前記情報記録トラック上の前記プリピットを含む光ビームの照射位置でピークとなるプリピット信号を発生し、前記検出同期信号の期間の半分位置と前記プリピット信号のピーク位置との時間的な差が所定の時間範囲内であるという第２条件を満足するか否かを判定し、前記光記録媒体に対する再生動作中において前記同期検出手段によって検出された同期信号に対して前記第１条件及び前記第２条件の両方が満足されないとき前記光記録媒体を規格外と判定することを特徴としている。
【手続補正８】
【補正対象書類名】明細書
【補正対象項目名】００１１
【補正方法】変更
【補正の内容】
【００１１】
図１は本発明の波形測定装置を示している。この波形測定装置において、測定対象の光ディスク１は例えば、図２に示すような記録面を有する。すなわち、ディスク基板１０１上には、螺旋状もしくは同心円状に、情報データを担う情報ピット（マーク）Ｐｔが形成されるべき凸状のグルーブトラック１０３、及び凹状のランドトラック１０２が交互に形成されている。更に、互いに隣接するグルーブトラック１０３間には、複数のＬＰＰ（ランドプリピット）１０４が形成されている。ＬＰＰ１０４は、ディスクレコーダが情報データを記録する際にその記録タイミング及びアドレスを知る為にランドトラック１０２上に予め設けられているものである。
【手続補正９】
【補正対象書類名】明細書
【補正対象項目名】００４４
【補正方法】削除
【補正の内容】
【手続補正１０】
【補正対象書類名】明細書
【補正対象項目名】００４５
【補正方法】削除
【補正の内容】
【手続補正１１】
【補正対象書類名】明細書
【補正対象項目名】００４６
【補正方法】削除
【補正の内容】
【手続補正１２】
【補正対象書類名】明細書
【補正対象項目名】００４７
【補正方法】削除
【補正の内容】
【手続補正１３】
【補正対象書類名】明細書
【補正対象項目名】００４８
【補正方法】変更
【補正の内容】
【００４８】
図８は本発明の他の実施例として波形測定装置を示しており、図１に示した波形測定装置と同一部分は同一符号を用いている。この図８の波形測定装置においては、同期検出回路６３にアドレス検出回路５２が接続されている。アドレス検出回路５２は同期検出回路６３による同期検出時にアドレスを検出し、その検出したアドレスをマイコン９０に供給する。その他の構成はアドレス検出回路５０及び５１を除いて図１の波形測定装置と同様である。図８の波形測定装置においても上記した同期ずれ判定処理が実行される。
【手続補正１４】
【補正対象書類名】明細書
【補正対象項目名】００５２
【補正方法】削除
【補正の内容】
【手続補正１５】
【補正対象書類名】明細書
【補正対象項目名】００５３
【補正方法】変更
【補正の内容】
【００５３】
【図１】本発明を適用した波形測定装置の構成を示すブロック図である。
【図２】ＤＶＤ−ＲＷの記録面の構造を示す図である。
【図３】図１の装置中のヘッドアンプ及びプリピット検出回路の構成を示すブロック図である。
【図４】リンキングずれ判定処理を示すフローチャートである。
【図５】同期信号、同期ずれの発生時点、同期ずれ検出パルス信号、ＲＦ信号及びプリピット信号を示している。
【図６】ＲＦ信号中の同期信号の１４Ｔ成分とプッシュプル信号のＬＰＰ成分との位相関係を示す図である。
【図７】同期信号マークとＬＰＰ成分との関係を示す図である。
【図８】本発明の他の実施例として波形測定装置の構成を示すブロック図である。
【手続補正１６】
【補正対象書類名】図面
【補正対象項目名】図８
【補正方法】変更
【補正の内容】
【図８】
2008084532.tif 000012
【手続補正１７】
【補正対象書類名】図面
【補正対象項目名】図９
【補正方法】削除
【補正の内容】